(57)【要約】【課題】  信号線駆動回路から時系列に供給される信号電圧をスイッチング素子により時分割して複数本の信号線に供給する表示装置において、表示させようとする色情報からのずれ量を少なくする。【解決手段】  それぞれ特定の波長域の光（ＲＧＢ）を主として透過する第１〜第３のサブピクセルＰＡｎ〜ＰＣｎと、第１〜第３のサブピクセルとは異なる波長透過特性（Ｗ）を有する第４のサブピクセルＰＤｎとを、それぞれ画素スイッチング素子ＴＦＴＡｎ〜ＴＦＴＤｎを介して第１〜第４の信号線ＳＡｎ〜ＳＤｎに接続し、各信号線を第１〜第４の信号線スイッチング素子ＴＳＷＡ〜ＴＳＷＤを介して信号線駆動回路の一つの出力端子Ｓｎに接続する。【選択図】  図１  
2005258094.tif 000002
【特許請求の範囲】
【請求項１】
それぞれ特定の波長域の光を主として透過可能とする第１〜第３のサブピクセルと、該第１〜第３のサブピクセルとは異なる各特定の波長透過特性を有する少なくとも第４のサブピクセルを含む一または複数のサブピクセルとを１画素部として構成された複数の画素部が２次元状に配設された表示装置であって、
各一つの出力端毎に時系列に供給される信号電圧を、少なくとも第１〜第４の信号線スイッチング手段によって時分割して、該少なくとも第１〜第４のサブピクセルにそれぞれ対応した少なくとも各第１〜第４の信号線に順次供給する信号駆動手段を有する表示装置。
【請求項２】
前記少なくとも第１〜第４のサブピクセルの近傍を通って互いに交差するように、各画素スイッチング手段制御用の複数の走査線と、複数の信号線とが設けられ、
該少なくとも第１〜第４のサブピクセルはそれぞれ該各画素スイッチング手段をそれぞれ介して前記少なくとも第１〜第４の信号線にそれぞれ接続されており、該少なくとも第１〜第４の信号線はそれぞれ、前記少なくとも第１〜第４の信号線スイッチング手段をそれぞれ介して、前記信号駆動回路の複数の出力端のうちの一つの出力端に接続されている請求項１に記載の表示装置。
【請求項３】
前記第４のサブピクセルは、可視光の波長域においてほぼ平坦な光の透過率波長分散特性を有する請求項１または２に記載の表示装置。
【請求項４】
前記第１〜第３のサブピクセルは、それぞれ特定の波長域の光を主として透過する色素を含む樹脂層を有し、
前記第４のサブピクセルは、該第１〜第３のサブピクセルとは異なる波長透過特性を有する樹脂層を有し、
該第１〜第４のサブピクセルの樹脂層は互いに略等しい厚みに設定されている請求項１または２に記載の表示装置。
【請求項５】
前記第１〜第３のサブピクセルのみ、それぞれ特定の波長域の光を主として透過する色素を含む樹脂層を有する請求項１または２に記載の表示装置。
【請求項６】
前記第１〜第３のサブピクセルは、それぞれ特定の波長域の光を主として透過する色素を含む樹脂層を有し、
前記第４のサブピクセルには、前記第１〜第３のサブピクセルの樹脂層の表面を平坦化する平坦化層と同じ層が設けられている請求項１または２に記載の表示装置。
【請求項７】
前記第１〜第３のサブピクセルはＲＧＢの３原色の波長域の光を透過し、前記第４のサブピクセルは白色（Ｗ）の波長域の光を透過し少なくとも最後にＷのスイッチをオンにする４色順次スイッチング表示方式で表示駆動が為される請求項１〜６のいずれかに記載の表示装置。
【請求項８】
前記第１〜第４のサブピクセルは光透過部と光反射部とを共に有する請求項１〜７のいずれかに記載の表示装置。
【請求項９】
前記第１〜第３のサブピクセルは光透過部と光反射部とを有し、前記第４のサブピクセルは反射部のみを有する請求項１〜７のいずれかに記載の表示装置。
【請求項１０】
前記第４のサブピクセルは、前記画素スイッチング手段およびバスラインの少なくとも該画素スイッチング手段上に重畳して形成されている請求項９に記載の表示装置。
【請求項１１】
請求項１〜１０のいずれかに記載の表示装置を表示部に用いた電子情報機器。
【発明の詳細な説明】
【技術分野】
【０００１】
本発明は、画像を表示可能とする例えば液晶表示装置などの表示装置および、これを表示部に用いた例えばパーソナルコンピュータや携帯電話装置などの電子情報機器に関する。
【背景技術】
【０００２】
この種の表示装置においては、複数本の信号線を１単位として、信号線駆動回路（ソースドライバ）の一つの出力端子から時系列に出力される信号電圧（ソース信号）を信号線スイッチング素子によって時分割して、それら複数本の信号線に順次供給する駆動方法が知られている。以下、この駆動方法を用いた従来の液晶表示装置について説明する。
【０００３】
図７は、従来の液晶表示装置の要部構成例を示す等価回路図である。
【０００４】
図７に示すように、従来の液晶表示装置１００は、マトリクス状に設けられたサブピクセル（画素電極）ＰＣｎ−１〜ＰＡｎ＋１の近傍を通って複数本の走査線Ｇおよび複数本の信号線（ソース信号線）ＳＣｎ−１〜ＳＢｎ＋１が互いに交差して設けられ、各サブピクセルＰＣｎ−１〜ＰＡｎ＋１は、それぞれ走査線Ｇに供給される走査電圧によって選択的にＯＮ／ＯＦＦする各画素スイッチング素子ＴＦＴＣｎ−１〜ＴＦＴＡｎ＋１をそれぞれ介して各信号線ＳＣｎ−１〜ＳＡｎ＋１にそれぞれ接続されている。
【０００５】
これらの各信号線ＳＣｎ−１〜ＳＢｎ＋１は、３本の信号線ＳＡ〜ＳＣを１単位として、ソースドライバの一つの出力端子から時系列に出力される信号電圧Ｓｎ−１〜Ｓｎ＋１が、走査電圧ＳＷＡ〜ＳＷＣによって選択的にＯＮ／ＯＦＦする信号線スイッチング素子ＴＳＷＣｎ−１〜ＴＳＷＢｎ＋１によって時分割されて供給されるようになっている。例えばＲＧＢなどの３色表示方式では、三つのサブピクセルＰＡ〜ＰＣがＲＧＢの各色にそれぞれ対応しており、三つのサブピクセルＰＡ〜ＰＣ毎に一つの画素部が構成されている。これらの複数の画素部が２次元状に配列されている。
【０００６】
この液晶表示装置１００において、隣接する信号線の間には、寄生容量ＣＣＡｎ−１〜ＣＡＢｎ＋１が形成されている。このため、例えば特許文献１には、ＲＧＢなどの３色表示方式の表示装置において、ある信号線への入力信号が、隣接する信号線への入力信号に対して、隣接する信号線との間に発生する寄生容量を介して電圧変動を与えることにより、スイッチング順によって各サブピクセルに書き込まれる信号が変化することが開示されている。
【０００７】
図８には、三つの信号線スイッチング素子ＴＳＷの走査電圧ＳＷＡ〜ＳＷＣと、３本の信号線に入力される信号電圧ＳＡ〜ＳＣと、走査線Ｇに供給される走査電圧と、三つのサブピクセルＰＡ〜ＰＣに書き込まれる電圧が示されている。
【０００８】
図８に示すように、１番目に選択される信号線ＳＡを介してサブピクセルＰＡに書き込まれる信号電圧は、２番目および３番目に選択される信号線ＳＢおよびＳＣへの入力信号の影響を主として受け、また、２番目に選択される信号線ＳＢを介してサブピクセルＰＢに書き込まれる信号は３番目に選択される信号線ＳＣへの入力信号の影響を主に受け、さらに、３番目に選択される信号線ＳＣを介してサブピクセルＰＣに書き込まれる信号電圧は影響を受けない。
【０００９】
このように、スイッチング順によって、各サブピクセルに書き込まれる信号電圧が隣接する信号線への入力信号によって影響を受けたり、受けなかったりすると、表示させようとする色情報に対して、実際には色味がずれた画像が表示されてしまうという問題が生じている。
【００１０】
一方、表示装置の表現力を高めるために、ＲＧＢＷなど単なる４色表示方式の表示装置として、例えば特許文献２には、ＲＧＢの３色以外にもう１色の輝度カラーフィルタを設けた液晶表示装置が開示されている。
【特許文献１】特開平１１−３３８４３８号公報
【特許文献２】特開平７−１３１６０号公報
【発明の開示】
【発明が解決しようとする課題】
【００１１】
上述したように、ＲＧＢなどの３色表示方式の従来の表示装置（例えば特許文献１）において、ソースドライバから出力される信号電圧を信号線スイッチ素子によって時分割して複数本の信号線に供給する駆動方法を用いた場合、スイッチング順によって、各サブピクセルに書き込まれる信号電圧が隣接する信号線への入力信号によって影響を受けたり、受けなかったりする。
【００１２】
このため、例えばノーマリホワイト方式の液晶表示装置では、図９に示すように、スイッチング順によって異なる強さで電圧が印加される。これによって、例えばＲＧＢの順にスイッチングを行った場合、表示させようとする色情報に対して、実際にはＲ（図９ではサブピクセルＰＡ）が２段階、Ｇ（図９ではサブピクセルＰＢ）が１段階濃く表示されることになる。
【００１３】
その結果、無色の中間調表示をさせようとした場合でも、図１０に模式的に示すように、本来表示させたい白色点ｃに対して、赤色から遠い方向（Ｒの逆方向）に２段階分、緑色から遠い方向（Ｇの逆方向）に１段階分だけ色味がシフトして、これらのベクトルを足し合わせた点ａに示すように、青みがかって表示されてしまうという問題がある。
【００１４】
本発明は、上記従来の問題を解決するもので、信号線駆動回路（ソースドライバ）から時系列に供給される信号電圧をスイッチング素子により時分割して複数本の信号線に供給する場合に、表示させようとする色情報からのずれ量がより少ない表示を行うことができる表示装置および、これを表示部に用いた例えばパーソナルコンピュータや携帯電話装置などの電子情報機器を提供することを目的とする。
【課題を解決するための手段】
【００１５】
本発明の表示装置は、それぞれ特定の波長域の光を主として透過可能とする第１〜第３のサブピクセルと、該第１〜第３のサブピクセルとは異なる各特定の波長透過特性を有する少なくとも第４のサブピクセルを含む一又は複数のサブピクセルとを１画素部として構成された複数の画素部が２次元状に配設された表示装置であって、各一つの出力端毎に時系列に供給される信号電圧を、少なくとも第１〜第４の信号線スイッチング手段によって時分割して、該少なくとも第１〜第４のサブピクセルにそれぞれ対応した少なくとも各第１〜第４の信号線に順次供給する信号駆動手段を有しており、そのことにより上記目的が達成される。
【００１６】
また、本発明の表示装置は、それぞれ特定の波長域の光を主として透過する第１〜第３のサブピクセルと、該第１〜第３のサブピクセルとは異なる波長透過特性を有する第４のサブピクセルとを１画素部として構成された複数の画素部が２次元状に配設された表示装置であって、各一つの出力端毎に時系列に供給される信号電圧を、第１〜第４の信号線スイッチング手段によって時分割して、該第１〜第４のサブピクセルにそれぞれ対応した各第１〜第４の信号線に順次供給する信号駆動手段を有しており、そのことにより上記目的が達成される。
【００１７】
また、好ましくは、本発明の表示装置における少なくとも第１〜第４のサブピクセルの近傍を通って互いに交差するように、各画素スイッチング手段制御用の複数の走査線と、複数の信号線とが設けられ、該少なくとも第１〜第４のサブピクセルはそれぞれ該各画素スイッチング手段をそれぞれ介して前記少なくとも第１〜第４の信号線にそれぞれ接続されており、該少なくとも第１〜第４の信号線はそれぞれ、前記少なくとも第１〜第４の信号線スイッチング手段をそれぞれ介して、前記信号駆動回路の複数の出力端のうちの一つの出力端に接続されている。
【００１８】
また、好ましくは、本発明の表示装置における第１〜第４のサブピクセルの近傍を通って互いに交差するように、各画素スイッチング手段制御用の複数の走査線と、複数の信号線とが設けられ、該第１〜第４のサブピクセルはそれぞれ該各画素スイッチング手段をそれぞれ介して前記第１〜第４の信号線にそれぞれ接続されており、該第１〜第４の信号線はそれぞれ、前記第１〜第４の信号線スイッチング手段をそれぞれ介して、前記信号駆動回路の複数の出力端のうちの一つの出力端に接続されている。
【００１９】
さらに、好ましくは、本発明の表示装置における第４のサブピクセルは、可視光の波長域においてほぼ平坦な光の透過率波長分散特性を有する。
【００２０】
さらに、好ましくは、本発明の表示装置における第１〜第３のサブピクセルは、それぞれ特定の波長域の光を主として透過する色素を含む樹脂層を有し、前記第４のサブピクセルは、該第１〜第３のサブピクセルとは異なる波長透過特性を有する樹脂層を有し、該第１〜第４のサブピクセルの樹脂層は製造工程でのばらつきの範囲内において互いに等しい厚みに設定されている。即ち、第１〜第３のサブピクセルは、それぞれ特定の波長域の光を主として透過する色素を含む樹脂層を有し、前記第４のサブピクセルは、該第１〜第３のサブピクセルとは異なる波長透過特性を有する樹脂層を有し、該第１〜第４のサブピクセルの樹脂層は互いに略等しい厚みに設定されている。
【００２１】
さらに、好ましくは、本発明の表示装置における第１〜第３のサブピクセルのみ、それぞれ特定の波長域の光を主として透過する色素を含む樹脂層を有する。
【００２２】
さらに、好ましくは、本発明の表示装置における第１〜第３のサブピクセルは、それぞれ特定の波長域の光を主として透過する色素を含む樹脂層を有し、前記第４のサブピクセルには、前記第１〜第３のサブピクセルの樹脂層の表面を平坦化する平坦化層と同じ層が設けられている。
【００２３】
さらに、好ましくは、本発明の表示装置における第１〜第３のサブピクセルはＲＧＢの３原色の波長域の光を透過し、前記第４のサブピクセルは白色（Ｗ）の波長域の光を透過し、少なくとも最後にＷのスイッチをオンにするＲＧＢＷ４色順次スイッチング表示方式で表示駆動が為される。
【００２４】
さらに、好ましくは、本発明の表示装置における第１〜第４のサブピクセルは光透過部と光反射部とを共に有する。また、好ましくは、本発明の表示装置における第１〜第３のサブピクセルは光透過部と光反射部とを有し、前記第４のサブピクセルは光反射部のみを有する。
【００２５】
さらに、好ましくは、本発明の表示装置における第４のサブピクセルは、前記画素スイッチング手段およびバスラインの少なくとも該画素スイッチング手段上に重畳して形成されている。
【００２６】
本発明の電子情報機器は、請求項１〜１０のいずれかに記載の表示装置を表示部に用いたものであり、そのことにより上記目的が達成される。
【００２７】
上記構成により、以下、本発明の作用について説明する。
【００２８】
本発明にあっては、例えばＲＧＢＷ４色順次スイッチング表示方式でＢがＷにより影響を受けることを利用することにより、従来のＲＧＢ３色順次スイッチング表示方式の場合に、Ｂが影響を受けないことによる例えば青みがかる表示（表示させようとする色情報からのずれ）を抑制することが可能となる。以下、具体的に説明する。
【００２９】
信号駆動回路（ソースドライバ）の一つの出力端子から時系列に供給される信号電圧（ソース電圧）を、信号線スイッチング素子によって時分割して複数本の信号線に順次供給して表示を行う表示装置において、表示させたい色情報からずれて表示されてしまう現象を抑制するために、それぞれ特定の波長域の光を主として透過する第１〜第３のサブピクセルと、第１〜第３のサブピクセルとは異なる波長透過特性を有する第４のサブピクセルとを１画素部として設けて、それぞれ画素スイッチング素子を介して異なる第１〜第４の信号線に接続し、第１〜第４の信号線をそれぞれ第１〜第４の信号線スイッチング素子を介して信号駆動回路の一つの出力端子に接続する。
【００３０】
例えばＲＧＢＷの４色順次スイッチング表示方式として、ＲＧＢＷの順にスイッチングを行うことにより、ＲがＧとＷとに影響を受け、ＧがＢの影響を受け、ＢがＷにより影響を受け、Ｗが影響を受けないため、従来の３色順次スイッチング表示方式のようにＲがＧとＢとの影響を受け、ＧがＢの影響を受け、Ｂが影響を受けない場合に比べて、表示させたい色とのずれ量が少なくなる。
【００３１】
第４のサブピクセルは、可視光の波長域において、ほぼ平坦な光の透過率波長分散特性を有する白色（Ｗ）とすることができるが、白色（Ｗ）の色度を調整するために若干の色味があってもよい。
【００３２】
第１〜第４のサブピクセルに樹脂層（カラーフィルタ）を設けて厚みを同じにすることにより、液晶層の厚みが各サブピクセルで同じになり、各サブピクセルの液晶層での光学特性が変化しないため、コントラストの変化が生じない。また、第１〜第３のサブピクセルに樹脂層を設け、第４のサブピクセルには樹脂層を設けない構成とすることにより、新規カラーフィルタ材料が不要で、製造工程をより簡略化することができる。さらに、第１〜第３のサブピクセルの表面を平坦化する平坦化層を第４のサブピクセル上に設けることにより、各サブピクセルの液晶層の厚みが平坦化層で平坦化され、境界部にも段差が生じない。
【００３３】
第１〜第３のサブピクセルに光透過部と光反射部とを設け、第４のサブピクセルを反射部のみとして、バスラインや画素スイッチング手段（ＴＦＴ）上にその反射部を形成することにより、開口率を向上させることが可能となる。
【発明の効果】
【００３４】
以上説明したように、本発明によれば、信号線駆動手段から時系列に供給される信号電圧をスイッチング素子により時分割して複数本の信号線に供給する表示装置において、表示させようとする色情報からのずれ量が少ない高品位のカラー画像を表示することができる。
【発明を実施するための最良の形態】
【００３５】
以下に、本発明の表示装置およびその駆動方法の実施形態を、ＴＦＴ駆動される液晶表示装置に適用した場合について、図面を参照しながら詳細に説明する。
【００３６】
図１は、本発明の液晶表示装置の実施形態における要部構成例を示す等価回路図である。
【００３７】
図１に示すように、液晶表示装置１０は、各一つの出力端毎に時系列に供給される信号電圧Ｓｎ−１〜Ｓｎ＋１を、第１〜第４の信号線スイッチング手段としての信号線スイッチング素子ＴＳＷＤｎ−１〜ＴＳＷＡｎ＋１によって時分割して、該第１〜第４のサブピクセルＰＡ〜ＰＤにそれぞれ対応した各第１〜第４の信号線ＳＡ〜ＳＤに順次供給する信号線駆動手段としての信号駆動回路１１（信号線駆動回路；ソースドライバ）を有する。
【００３８】
即ち、液晶表示装置１０は、２次元状（マトリクス状）に設けられたサブピクセル（画素電極）ＰＤｎ−１〜ＰＤｎの近傍を通って複数本の走査線Ｇおよび複数本の信号線（ソース信号線）ＳＤｎ−１〜ＳＡｎ＋１が互いに交差して設けられ、各サブピクセルＰＤｎ−１〜ＰＤｎは、それぞれ走査線Ｇに供給される走査電圧によって選択的にオン／オフする各画素スイッチング手段としての各画素スイッチング素子ＴＦＴＤｎ−１〜ＴＦＴＤｎをそれぞれ介して各信号線ＳＤｎ−１〜ＳＤｎにそれぞれ接続されている。
【００３９】
各信号線ＳＤｎ−１〜ＳＡｎ＋１は、４本の信号線ＳＡ〜ＳＤを１単位として、信号駆動回路１１（信号線駆動回路；ソースドライバ）の一つの出力端子から時系列に出力される信号電圧Ｓｎ−１〜Ｓｎ＋１が走査電圧ＳＷＡ〜ＳＷＤによって選択的にオン／オフする信号線スイッチング手段としての信号線スイッチング素子ＴＳＷＤｎ−１〜ＴＳＷＡｎ＋１によって時分割されて供給されるようになっている。本実施形態では、ＲＧＢＷの４色表示方式で表示が行われ、四つのサブピクセルＰＡ〜ＰＤによって一つの画素部が構成されている。これらの複数の画素部が２次元状（マトリクス状）に配列されている。
【００４０】
この液晶表示装置１０において、隣接する信号線（ソース信号線）の間には、寄生容量ＣＤＡｎ−１〜ＣＤＡｎ＋１が形成されている。このため、ある信号線への入力信号が、隣接する信号線への入力信号に対して、隣接する信号線との間に発生する寄生容量を介して電圧変動を与えて、スイッチング順によって各サブピクセルに書き込まれる信号が変化することにより、表示させたい色情報からずれて表示されてしまうという現象が生じる。
【００４１】
本実施形態では、この現象を抑制するために、それぞれ特定の波長域の光を主として透過する第１〜第３のサブピクセル（ＲＧＢ）と、第１〜第３のサブピクセルとは異なる波長透過特性を有する第４のサブピクセル（Ｗ）とを設けて、４色表示方式でソース信号線に入力される信号をスイッチングさせることにより、従来に比べてずれ量を少なくすることができる。
【００４２】
図２には、四つの信号線スイッチング素子ＴＳＷの走査電圧ＳＷＡ〜ＳＷＤと、４本の信号線ＳＡ〜ＳＤに入力される信号電圧と、走査線Ｇに供給される走査電圧と、四つのサブピクセルＰＡ〜ＰＤに書き込まれる電圧とが示されている。
【００４３】
図２に示すように、１番目に選択される信号線ＳＡを介してサブピクセルＰＡに書き込まれる電圧は２番目および４番目に選択される信号線ＳＢおよびＳＤへの入力信号の影響を主として受け、また、２番目に選択される信号線ＳＢを介してサブピクセルＰＢに書き込まれる信号は３番目に選択される信号線ＳＣへの入力信号の影響を主に受け、さらに、３番目に選択される信号線ＳＣを介してサブピクセルＳＣに書き込まれる信号電圧は４番目に選択される信号線ＳＤへの入力信号の影響を主に受け、さらに、４番目に選択される信号線ＳＤを介してサブピクセルＳＤに書き込まれる信号電圧は影響を受けない。これによって、ＲＧＢＷの４色表示方式として、ＲＧＢＷの順にスイッチングを行うことにより、ＲがＧとＷとに影響を受け、ＧがＢの影響を受け、ＢがＷにより影響を受け、Ｗが影響を受けないため、３色表示方式のようにＲがＧとＢとの影響を受け、ＧがＢの影響を受け、Ｂが影響を受けない場合に比べて、表示させたい色とのずれ量をより少なくすることができる。
【００４４】
これにより、例えばノーマリホワイト方式の液晶表示装置では、図３に示すような強さで電圧が画素電極に印加され、表示させようとする色情報に対して、Ｒ（図３ではサブピクセルＰＡ）が２段階、ＧおよびＢ（図３ではサブピクセルＰＢおよびＰＣ）がそれぞれ１段階濃く表示されることになる。
【００４５】
その結果、例えば無色の中間調表示をさせようとした場合、図１０に模式的に示すように、本来表示させたい白色（Ｗ）に対して、赤色（Ｒ）から遠い方向に２段階分、緑色（Ｇ）および青色（Ｂ）から遠い方向に１段階分だけ色味がそれぞれシフトして、本来表示させたい白色点ｃからＲの逆方向に２段階、Ｇの逆方向に１段階、Ｂの逆方向に１段階シフトすることになり、これらのベクトルを足し合わせた点ｂに示すように表示され、色味のシフトは若干あるものの、従来のＲＧＢ３色表示方式の液晶表示装置（図１０の点ａ）に比べて、表示させたい色のずれ量をより少なくすることが可能となる。
【００４６】
ところで、従来のＲＧＢ３色表示方式の半透過型液晶表示装置において、反射部がＲＧＢだけで構成されていると表示色が濃くなりすぎるため、図５に示すように、反射部に色素（カラーフィルタ）がない部分（白色部）を設けて色度を調整することが行われている。
【００４７】
そこで、本発明において、ＲＧＢＷの４色表示方式により半透過型の液晶表示装置を構成する場合には、例えば図４に示すように、ＲＧＢの各色素（カラーフィルタ）を有するサブピクセルは透過部および反射部の面積を図５に示す３色表示方式と等しく設定し、Ｗ（白色部）のサブピクセルは反射部のみとして、その面積を図５に示すＲＧＢ各サブピクセルの反射部における色素がない部分（白色部）の面積と等しく設定することができる。これにより、透過部と有色・無色（白色）それぞれの反射部の面積を従来の３色表示方式と等しくしたままで、従来よりも色ずれを抑えた表示を行うことができる。
【００４８】
さらに、本発明のように１画素部を四つのサブピクセル（画素電極）で構成すると、従来の三つのサブピクセルで構成する場合と比較して、ソースドライバ（信号線駆動回路）やＴＦＴが余分に必要となるために、遮光要因が増加し、開口率が低下するという懸念がある。
【００４９】
しかしながら、図４に示すように第４のサブピクセル（Ｗ）が反射部に配置されるように設計して、バスライン上に反射電極を重畳することによって、バスラインやＴＦＴのある部分も表示に寄与させることができるため、開口率を向上させることができる。
【００５０】
さらに、図５に示すように３色表示方式において反射部に色素がない部分（白色部）を設けた場合と比較して、生産工程において白色部（無色部）の大きさを制御しやすく、反射部の有色部・無色部の大きさを安定して生産することが可能である。
【００５１】
第４のサブピクセルを無色（白色）とする場合、例えば図６（ａ）に示すように、ＲＧＢの各サブピクセル（有色部）を構成するカラーフィルタ（樹脂層）に加えて第４のサブピクセルに色素を含む樹脂層を設けない構成が可能である。この場合、新規カラーフィルタ材料や新規カラーフィルタ形成工程が不要となり、製造に際してコストアップが生じないため、容易に色味のシフト量を抑えることが可能となる。
【００５２】
また、図６（ｂ）に示すように、第４のサブピクセルに無色のカラーフィルタ（樹脂層）を設けることによって、ＲＧＢの各サブピクセルのカラーフィルタと製造工程でのばらつきの範囲内において等しい厚さとすることが可能である。この場合、液晶層厚がＲＧＢＷの各サブピクセルで一定となるため、各サブピクセルの液晶層での光学特性が変化せず、コントラストも変化しない。
【００５３】
さらに、従来よりも高い平坦性が要求される場合には、図６（ｃ）に示すように平坦化層を厚くすることによって、第４のサブピクセル（Ｗ）部分の段差を埋めることが可能となる。この場合、各サブピクセルの樹脂層における境界を平坦化することができ、液晶層厚を各サブピクセルで一定とすることができる。
【００５４】
液晶の特性によって、白から黒へ、または黒から白へと変化させたときに、わずかに色味のシフトが生じる場合には、ＲＧＢのスイッチング順による色味のシフトを積極的に利用することによって、この液晶の特性による色味シフトの影響を補正することが可能である。従来の３色表示方式の液晶表示装置では、スイッチング順の変更による色味のシフト量が大きく、このような補正に用いるためには適していなかったが、本発明によれば従来のように大きなシフトが生じないために、色味を微調整することが可能である。
【００５５】
第４のサブピクセルは、白色（無色）に限らず、白色表示における色度を調節するために若干の色味を持たせてもよい。
【００５６】
一方、第４のサブピクセルを完全な無色とした場合には、輝度を最大にすることができると共に、カラーフィルタ製造工程を増やす必要がない。
【００５７】
ノーマリホワイト方式の表示装置では、白表示時に無色のサブピクセル（第４のサブピクセル）に対しても電圧が無印加となり、黒表示時には第４のサブピクセルに対しても電圧印加状態となる。
【００５８】
また、中間調表示時には、ＲＧＢ各サブピクセル（第１〜第３のサブピクセル）に対して濃度調整を行うと共に無色のサブピクセルに対しても調整を行う。このときの第４のサブピクセルに対する印加電圧は、ＲＧＢの各サブピクセルに対するデジタルデータを基にして信号線駆動回路（ソースドライバ）内で演算を行って決定することができる。
【００５９】
以上により、本実施形態によれば、それぞれ特定の波長域の光（ＲＧＢ）を主として透過する第１〜第３のサブピクセルＰＡｎ〜ＰＣｎと、第１〜第３のサブピクセルとは異なる波長透過特性（Ｗ）を有する第４のサブピクセルＰＤｎとを、それぞれ画素スイッチング素子ＴＦＴＡｎ〜ＴＦＴＤｎを介して第１〜第４の信号線ＳＡｎ〜ＳＤｎに接続し、各信号線を第１〜第４の信号線スイッチング素子ＴＳＷＡ〜ＴＳＷＤを介して信号線駆動回路の一つの出力端子Ｓｎに接続する。これによって、信号線駆動回路（ソースドライバ）から時系列に供給される信号電圧をスイッチング素子により時分割して複数本の信号線に供給する表示装置において、本発明のＲＧＢＷ４色表示順次スイッチング方式は、表示させようとする色情報からのずれ量を従来のＲＧＢ３色表示順次スイッチング方式に比べてより少なくすることができる。
【００６０】
なお、本実施形態では、第１〜第４のサブピクセルとしたが、これに限らず、第１〜第５のサブピクセルでもよく、それ以上の複数のサブピクセルとして本発明を構成してもよい。
【００６１】
また、本実施形態では、特に説明しなかったが、本実施形態の液晶表示装置を、例えばパーソナルコンピュータや携帯電話装置などの電子情報機器の表示部に利用することができて、表示させようとする色情報からのずれ量がより少ない高品位のカラー画像を表示することができる。
【００６２】
さらに、本実施形態では、第１〜第３のサブピクセルはＲＧＢの３原色の波長域の光を透過し、前記第４のサブピクセルは白色（Ｗ）の波長域の光を透過するＲＧＢＷ４色順次スイッチング表示方式で表示駆動が為されるように構成したが、スイッチング順をＲＧＢＷに限らず、例えばスイッチング順をＢＧＲＷとしてもよく、要は、スイッチング順をＲＧＢの任意の順で、最後にＷのスイッチをオンにするようにすればよい。
【００６３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６４】
本発明は、画像を表示可能とする例えば液晶表示装置などの表示装置および、これを表示部に用いた例えばパーソナルコンピュータや携帯電話装置などの電子情報機器の分野において、信号線駆動回路（ソースドライバ）から時系列に供給される信号電圧を各スイッチング素子により時分割して複数本の信号線にそれぞれ供給する場合に、表示させようとする色情報からのずれ量がより少ないカラー画像を表示することができる。本発明は、ＴＦＴなどの画素スイッチング素子によって液晶などの表示媒体からなる複数の画素部（またはサブピクセル）が選択的に駆動される透過型、反射型または半透過型などの表示装置を表示部として用いたパーソナルコンピュータや携帯電話装置などの電子情報機器に広く利用して、良好なカラー画像表示を行うことができる。
【図面の簡単な説明】
【００６５】
【図１】本発明の一実施形態である液晶表示装置の要部構成例を示す等価回路図である。
【図２】図１の液晶表示装置の駆動方法を説明するための信号波形図である。
【図３】図１の液晶表示装置における各サブピクセルの電位の変遷を説明するための模式図である。
【図４】本発明の他の一例である半透過型液晶表示装置における各サブピクセルの配置例を示す模式図である。
【図５】一般的な半透過型液晶表示装置における各サブピクセルの配置例を示す模式図である。
【図６】（ａ）〜（ｃ）はそれぞれ、本発明の更に他の一例である液晶表示装置における各サブピクセルのカラーフィルタ構成例を模式的に示す要部断面図である。
【図７】従来の液晶表示装置の要部構成例を示す等価回路図である。
【図８】図７の液晶表示装置の駆動方法を説明するための信号波形図である。
【図９】図７の液晶表示装置における各サブピクセルの電位の変遷を説明するための模式図である。
【図１０】従来の液晶表示装置と本発明の液晶表示装置とにおいて表示される白色点を比較して説明するための模式図である。
【符号の説明】
【００６６】
１０  液晶表示装置
１１  信号線駆動回路
ＰＡｎ〜ＰＤｎ  サブピクセル
ＴＦＴＡｎ〜ＴＦＴＤｎ  画素スイッチング素子
ＳＡｎ〜ＳＤｎ  信号線
ＴＳＷＡ〜ＴＳＷＤ  信号線スイッチング素子
Ｓｎ−１〜Ｓｎ＋１  信号線駆動回路の出力端子
【図１】
2005258094.tif 000003
【図２】
2005258094.tif 000004
【図６】
2005258094.tif 000005
【図７】
2005258094.tif 000006
【図８】
2005258094.tif 000007
【図３】
2005258094.tif 000008
【図４】
2005258094.tif 000009
【図５】
2005258094.tif 000010
【図９】
2005258094.tif 000011
【図１０】
2005258094.tif 000012